(57)【要約】      （修正有）【解決手段】携帯電話機１０は、タッチ操作を検出するタッチパネル３６を有している。また、携帯電話機１０は、タッチ操作によって電話機能などが実行されないように制限するか又はタッチ操作が受け付けられないようにするロック状態を設定することができる。そして、ロック状態が設定されている場合、ロック状態の解除に関するタッチ操作を検出する。ロック状態が設定されている状態で、キー入力操作がされると、ディスプレイ３０には、テープのように見える長手のオブジェクトが表示される。また、オブジェクトと交差するスライドが使用者によって行われると、プロセッサ２４は、ロック状態を解除する。【効果】ロック状態を解除するためのタッチ操作がオブジェクトの表示によって促されるため、ロック状態の解除方法が、使用者が利用する言語に関係なく伝えられる。【選択図】図１
2015133124.tif 000002
【特許請求の範囲】
【請求項１】
タッチパネルおよび前記タッチパネルへの接触部材の接触を検出する接触検出部を有し、前記接触検出部が検出した接触に基づく所定の処理を実行しないロック状態が設定できる、携帯端末であって、
前記ロック状態が設定されているときにオブジェクトを表示する表示部、
前記タッチパネルに対して前記オブジェクトと交差するよう前記接触部材を接触させて移動する操作が行われたか否かを判断する判断部、および
前記判断部が前記タッチパネルに対して前記タッチパネルに対して前記オブジェクトと交差するよう前記接触部材を接触させて移動する操作が行われたと判断されたとき、前記ロック状態を解除する解除部を備える、携帯端末。
【請求項２】
前記オブジェクトは、所定の関数によって定義され、
前記判断部は、前記タッチパネルに対して前記タッチパネルに対して前記オブジェクトと交差するよう前記接触部材を接触させて移動する操作によって示される座標によって、前記関数が成立するかを判断する、請求項１記載の携帯端末。
【請求項３】
前記オブジェクトは、第１関数および第２関数によって定義され、
前記判断部は、前記タッチパネルに対して前記タッチパネルに対して前記オブジェクトと交差するよう前記接触部材を接触させて移動する操作によって示される座標によって、前記第１関数が成立するかを判断する第１判断部および前記タッチパネルに対して前記タッチパネルに対して前記オブジェクトと交差するよう前記接触部材を接触させて移動する操作によって示される座標によって、前記第２関数が成立するかを判断する第２判断部を含み、
前記解除部は、前記第１判断部が前記タッチパネルに対して前記タッチパネルに対して前記オブジェクトと交差するよう前記接触部材を接触させて移動する操作によって示される座標によって前記第１関数が成立すると判断した後に、前記第２判断部が前記タッチパネルに対して前記タッチパネルに対して前記オブジェクトと交差するよう前記接触部材を接触させて移動する操作によって示される座標によって前記第２関数が成立すると判断したとき、前記ロック状態を解除する、請求項２記載の携帯端末。
【請求項４】
前記第１判断部によって前記タッチパネルに対して前記タッチパネルに対して前記オブジェクトと交差するよう前記接触部材を接触させて移動する操作によって示される座標によって前記第１関数が成立すると判断されたとき、前記オブジェクトを第１表示状態に変更する第１変更部をさらに備える、請求項３記載の携帯端末。
【請求項５】
前記第２判断部によって前記タッチパネルに対して前記タッチパネルに対して前記オブジェクトと交差するよう前記接触部材を接触させて移動する操作によって示される座標によって前記第２関数が成立すると判断されたとき、前記オブジェクトを第２表示状態に変更する第２変更部をさらに備える、請求項３または４記載の携帯端末。
【請求項６】
タッチパネルおよび前記タッチパネルへの接触部材の接触を検出する接触検出部を有し、前記接触検出部が検出した接触に基づく所定の処理を実行しないロック状態が設定できる、携帯端末のプロセッサを、
前記ロック状態が設定されているときにオブジェクトを表示する表示部、
前記タッチパネルに対して前記オブジェクトと交差するよう前記接触部材を接触させて移動する操作が行われたか否かを判断する判断部、および
前記判断部が前記タッチパネルに対して前記タッチパネルに対して前記オブジェクトと交差するよう前記接触部材を接触させて移動する操作が行われたと判断されたとき、前記ロック状態を解除する解除部として機能させる、ロック状態解除プログラム。
【請求項７】
タッチパネルおよび前記タッチパネルへの接触部材の接触を検出する接触検出部を有し、前記接触検出部が検出した接触に基づく所定の処理を実行しないロック状態が設定できる、携帯端末のロック状態解除方法であって、
前記ロック状態が設定されているときにオブジェクトを表示し、
前記タッチパネルに対して前記オブジェクトと交差するよう前記接触部材を接触させて移動する操作が行われたか否かを判断し、そして
前記タッチパネルに対して前記タッチパネルに対して前記オブジェクトと交差するよう前記接触部材を接触させて移動する操作が行われたと判断されたとき、前記ロック状態を解除する、ロック状態解除方法。
【発明の詳細な説明】
【技術分野】
【０００１】
この発明は、携帯端末、ロック状態解除プログラムおよびロック状態解除方法に関し、特にロック状態を設定することができる、携帯端末、ロック状態解除プログラムおよびロック状態解除方法に関する。
【背景技術】
【０００２】
従来、ロック状態を設定することができる携帯端末は広く知られており、この種の装置の一例が特許文献１に開示されている。この背景技術のテレビジョン受像機は、リモコンにおける任意の操作キーをロックすることができる、キーロック機能を有する。たとえば、ロックされたキーが操作されると、ロック解除手順ＯＳＤ(On Screen Display)が表示
部に表示される。そして、一定時間内にロック解除操作が行われると、キーロックを解除する。
【特許文献１】特開２００７−１３５３０号公報［H04N 5/445, H04Q 9/00］
【発明の概要】
【発明が解決しようとする課題】
【０００３】
ところが、特許文献１のテレビジョン受像機において、ロック解除方法が特定の言語で表示された場合、使用者がロック解除の手順を理解できないことが考えられる。
【０００４】
それゆえに、この発明の主たる目的は、新規な、携帯端末、ロック状態解除プログラムおよびロック状態解除方法を提供することである。
【０００５】
この発明の他の目的は、ロック状態の解除方法を、使用者が利用する言語に関係なく伝えることができる、携帯端末、ロック状態解除プログラムおよびロック状態解除方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、タッチパネルおよびタッチパネルへの接触部材の接触を検出する接触検出部を有し、接触検出部が検出した接触に基づく所定の処理を実行しないロック状態が設定できる、携帯端末であって、ロック状態が設定されているときにオブジェクトを表示する表示部、タッチパネルに対してオブジェクトと交差するよう接触部材を接触させて移動する操作が行われたか否かを判断する判断部、および判断部がタッチパネルに対してタッチパネルに対してオブジェクトと交差するよう接触部材を接触させて移動する操作が行われたと判断されたとき、ロック状態を解除する解除部を備える、携帯端末である。
【０００８】
第１の発明では、携帯端末（１０：実施例において対応する部分を例示する参照符号。以下、同じ。）は、タッチパネル（３８）に対して行われる指などの接触部材による接触（タッチ操作）を検出する接触検出部（３６）を有する。また、携帯端末には、タッチパネルに対する接触に基づく所定の処理（電話機能）が実行しないロック状態を設定できる。
【０００９】
表示部（２４，Ｓ２１）は、携帯端末に上記ロック状態が設定されているときに、たとえば入力操作がされると、帯のように見えるオブジェクトを表示する。判断部（２４，Ｓ
２７，Ｓ３７）は、たとえば、帯のように見えるオブジェクトを、接触部材を移動させて交差するように移動させる操作（スライド操作）が行われたかを判断する。解除部（２４，Ｓ４３）は、上記のような操作が行われたと判断されたとき、ロック状態を解除する。
【００１０】
第１の発明によれば、ロック状態を解除するための操作がオブジェクトの表示によって促されるため、ロック状態の解除方法を、使用者が利用する言語に関係なく伝えることができる。
【００１１】
第２の発明は、第１の発明に従属し、オブジェクトは、所定の関数によって定義され、判断部は、タッチパネルに対してタッチパネルに対してオブジェクトと交差するよう接触部材を接触させて移動する操作によって示される座標によって、関数が成立するかを判断する。
【００１２】
第２の発明では、オブジェクトは、たとえば一次関数によって定義される。また、判断部は、接触部材を移動させる操作における現在の座標によって、上記一次関数が成立するかを判断する。
【００１３】
第２の発明によれば、オブジェクトが所定の関数によって定義されるため、オブジェクトと接触部材を移動させる操作との交差を、所定の関数に基づき容易に判断することができる。
【００１４】
第３の発明は、第２の発明に従属し、オブジェクトは、第１関数および第２関数によって定義され、判断部は、タッチパネルに対してタッチパネルに対してオブジェクトと交差するよう接触部材を接触させて移動する操作によって示される座標によって、第１関数が成立するかを判断する第１判断部およびタッチパネルに対してタッチパネルに対してオブジェクトと交差するよう接触部材を接触させて移動する操作によって示される座標によって、第２関数が成立するかを判断する第２判断部を含み、解除部は、第１判断部がタッチパネルに対してタッチパネルに対してオブジェクトと交差するよう接触部材を接触させて移動する操作によって示される座標によって第１関数が成立すると判断した後に、第２判断部がタッチパネルに対してタッチパネルに対してオブジェクトと交差するよう接触部材を接触させて移動する操作によって示される座標によって第２関数が成立すると判断したとき、ロック状態を解除する。
【００１５】
第３の発明では、第１関数は、長手のオブジェクトの上側の線（上境界線Ｌａ）に対応している。また、第２関数は、長手のオブジェクトの下側の線（下境界線Ｌｂ）に対応している。第１判断部（２４，Ｓ２７）は、接触部材を移動する操作によって示される座標によって、上述した第１関数が成立するかを判断する。第２判断部（２４，Ｓ３７）は、現在の接触位置（タッチ位置）の座標によって、上述した第２関数が成立するかを判断する。そして、解除部は、接触部材を移動する操作の軌跡が所定の長さを持つオブジェクトを通過すると、第１関数が成立した後に、第２関数が成立するため、ロック状態を解除する。
【００１６】
第３の発明によれば、ロック状態を解除するために、２つの関数を利用することで、誤操作によってロック状態が解除されないようにできる。
【００１７】
第４の発明は、第３の発明に従属し、第１判断部によってタッチパネルに対してタッチパネルに対してオブジェクトと交差するよう接触部材を接触させて移動する操作によって示される座標によって第１関数が成立すると判断されたとき、オブジェクトを第１表示状態に変更する第１変更部をさらに備える。
【００１８】
第４の発明では、第１変更部（２４，Ｓ３３，Ｓ３５）は、下方向に接触部材を移動させる操作がされ、現在の接触位置の座標によって第１関数が成立すると判断されたとき、オブジェクトを、途中に切れ目が入ったかのような第１表示状態に変更する。
【００１９】
第４の発明によれば、使用者は、ロック状態を解除するための操作が有効であることを知ることができる。
【００２０】
第５の発明は、第３の発明または第４の発明に従属し、第２判断部によってタッチパネルに対してタッチパネルに対してオブジェクトと交差するよう接触部材を接触させて移動する操作によって示される座標によって第２関数が成立すると判断されたとき、オブジェクトを第２表示状態に変更する第２変更部をさらに備える。
【００２１】
第５の発明では、第２変更部（２４，Ｓ４１）は、下方向に接触部材を移動させる操作がされ、その操作の軌跡がオブジェクトと交差し終えたとき、オブジェクトを、２つに分かれた第２表示状態に変更する。
【００２２】
第５の発明によれば、使用者は、第２表示状態のオブジェクトを見ることで、ロック状態を解除する操作が正常に終了したことを知ることができる。
【００２３】
第６の発明は、タッチパネル（３８）およびタッチパネルへの接触部材の接触を検出する接触検出部（３６）を有し、接触検出部が検出した接触に基づく所定の処理を実行しないロック状態が設定できる、携帯端末（１０）のプロセッサ（２４）を、ロック状態が設定されているときにオブジェクトを表示する表示部（Ｓ２１）、タッチパネルに対してオブジェクトと交差するよう接触部材を接触させて移動する操作が行われたか否かを判断する判断部（Ｓ２７，Ｓ３７）、および判断部がタッチパネルに対してタッチパネルに対してオブジェクトと交差するよう接触部材を接触させて移動する操作が行われたと判断されたとき、ロック状態を解除する解除部（Ｓ４３）として機能させる、ロック状態解除プログラムである。
【００２４】
第６の発明でも、第１の発明と同様に、ロック状態を解除するための操作がオブジェクトの表示によって促されるため、ロック状態の解除方法を、使用者が利用する言語に関係なく伝えることができる。
【００２５】
第７の発明は、タッチパネル（３８）およびタッチパネルへの接触部材の接触を検出する接触検出部（３６）を有し、接触検出部が検出した接触に基づく所定の処理を実行しないロック状態が設定できる、携帯端末（１０）のロック状態解除方法であって、ロック状態が設定されているときにオブジェクトを表示し（Ｓ２１）、タッチパネルに対してオブジェクトと交差するよう接触部材を接触させて移動する操作が行われたか否かを判断し（Ｓ２７，Ｓ３７）、そしてタッチパネルに対してタッチパネルに対してオブジェクトと交差するよう接触部材を接触させて移動する操作が行われたと判断されたとき、ロック状態を解除する（Ｓ４３）、ロック状態解除方法である。
【００２６】
第７の発明でも、第１の発明と同様に、ロック状態を解除するための操作がオブジェクトの表示によって促されるため、ロック状態の解除方法を、使用者が利用する言語に関係なく伝えることができる。
【発明の効果】
【００２７】
この発明によれば、ロック状態を解除するための操作が、オブジェクトの表示によって促されるため、ロック状態の解除方法を、使用者が利用する言語に関係なく伝えることができる。
【００２８】
この発明の上述の目的、その他の目的、特徴および利点は、図面を参照して行う以下の実施例の詳細な説明から一層明らかとなろう。
【図面の簡単な説明】
【００２９】
【図１】図１はこの発明の一実施例の携帯電話機の電気的な構成を示す図である。
【図２】図２は図１に示す携帯電話機の外観を示す図である。
【図３】図３は図１に示す携帯電話機に設定されたロック状態を解除する手順の一例を示す図である。
【図４】図４は図１に示すＲＡＭのメモリマップの一例を示す図である。
【図５】図５は図１に示すプロセッサのロック状態設定処理を示すフロー図である。
【図６】図６は図１に示すプロセッサのロック状態解除処理を示すフロー図である。
【図７】図７は図１に示すディスプレイに表示されるオブジェクトの他の一例を示す図解図である。
【図８】図８は図１に示すディスプレイに表示されるオブジェクトのその他の一例を示す図解図である。
【図９】図９は図１に示すディスプレイに表示されるオブジェクトのさらにその他の一例を示す図解図である。
【図１０】図１０は図１に示すディスプレイに表示されるオブジェクトの他の一例を示す図解図である。
【発明を実施するための形態】
【００３０】
図１を参照して、この実施例の携帯電話機１０は、携帯端末の一種であり、CPUまたは
コンピュータと呼ばれるプロセッサ２４を含む。また、このプロセッサ２４には、無線通信回路１４、Ａ／Ｄ１６、Ｄ／Ａ２０、キー入力装置２６、表示ドライバ２８、フラッシュメモリ３２、ＲＡＭ３４およびタッチパネル制御回路３６が接続される。無線通信回路１４にはアンテナ１２が接続され、Ａ／Ｄ１６にはマイク１８が接続され、Ｄ／Ａ２０にはアンプ（図示せず）を介してスピーカ２２が接続される。また、表示ドライバ２８には、ディスプレイ３０が接続される。そして、タッチパネル制御回路３６にはタッチパネル３８が接続される。
【００３１】
プロセッサ２４は、制御用のICであり、携帯電話機１０の全体制御を司る。また、ＲＡＭ３４は、プロセッサ２４の作業領域（描画領域を含む）ないしバッファ領域として用いられる。フラッシュメモリ３２には、携帯電話機１０の文字、画像、音声、音および映像のようなコンテンツのデータが記録される。
【００３２】
Ａ／Ｄ１６は、当該Ａ／Ｄ１６に接続されたマイク１８を通して入力される音声ないし音についてのアナログ音声信号を、デジタル音声信号に変換する。Ｄ／Ａ２０は、デジタル音声信号をアナログ音声信号に変換（復号）して、アンプを介してスピーカ２２に与える。したがって、アナログ音声信号に対応する音声ないし音がスピーカ２２から出力される。
【００３３】
キー入力装置２６は、図２（Ａ）に示す、通話キー２６ａ、メニューキー２６ｂおよび終話キー２６ｃを備える。また、使用者が操作したキーの情報（キーデータ）はプロセッサ２４に入力される。なお、キー入力装置２６に含まれる各キーが操作されると、クリック音が鳴る。そして、使用者は、クリック音を聞くことで、キー操作に対する操作感を得ることができる。
【００３４】
表示ドライバ２８は、プロセッサ２４の指示の下、当該表示ドライバ２８に接続されたディスプレイ３０の表示を制御する。また、表示ドライバ２８は表示する画像データを一
時的に記憶するVRAMを含む。そして、プロセッサ２４は、ディスプレイ３０に表示する画像データを、このVRAMに記憶させる。
【００３５】
タッチパネル３８は、指などの物体（接触部材）が表面に接近して生じた電極間の静電容量の変化を検出する静電容量方式で、たとえば１本または複数本の指がタッチパネル３８に触れたことを検出する。また、タッチパネル３８は、ディスプレイ３０の画面内で、任意の位置を指示するためのポインティングデバイスである。たとえば、タッチパネル３８は、その表面を指で、押したり、撫でたり（擦ったり）、触られたりすることにより操作されると、その操作を検出する。そして、接触検出部として機能するタッチパネル制御回路３６は、タッチパネル３８に指が触れると、その指の位置を特定し、操作された位置を示す座標のデータをプロセッサ２４に出力する。つまり、使用者は、タッチパネル３８の表面を指で、押したり、撫でたり、触れたりすることによって、操作の方向や図形などを携帯電話機１０に入力することができる。
【００３６】
ここで、使用者がタッチパネル３８の表面を指で触れる操作を「タッチ」と言うことにする。一方、タッチパネル３８から指を離す操作を「タッチを離す」または「リリース」と言うことにする。タッチによって示された座標を「タッチ点（第１位置）」、リリースによって示された座標を「リリース点（第２位置）」と言うことにする。また、タッチパネル３８の表面を撫でる操作を「スライド」、「スライドタッチ操作」または「接触部材を接触させて移動する操作」と言うことにする。さらに、使用者がタッチパネル３８の表面をタッチして、続けてリリースする操作を「タッチアンドリリース」と言うことにする。そして、タッチ、リリース、スライドおよびタッチアンドリリースなどのタッチパネル３８に対して行う操作を、まとめて「タッチ操作（接触）」と言うことにする。
【００３７】
なお、タッチ操作は指だけに限らず、導電体が先端に取り付けられたタッチペンなど、その他の物体によって行われてもよい。また、タッチパネル３８の検出方式には、表面型の静電容量方式が採用されてもよいし、抵抗膜方式、超音波方式、赤外線方式および電磁誘導方式などであってもよい。
【００３８】
無線通信回路１４は、CDMA方式での無線通信を行うための回路である。たとえば、使用者がキー入力装置２６を用いて電話発信を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００３９】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ２０によってアナログ音声信号に変換された後、スピーカ２２から出力される。一方、マイク１８を通して取り込まれた送話音声信号は、Ａ／Ｄ１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００４０】
また、相手の電話機からの発呼信号がアンテナ１２によって受信されると、無線通信回路１４は、電話着信（着呼と言うこともある。）をプロセッサ２４に通知する。これに応じて、プロセッサ２４は、表示ドライバ２８を制御して、着信通知に記述された発信元情報（電話番号）をディスプレイ３０に表示する。また、これとほぼ同時に、プロセッサ２
４は、図示しないスピーカから着信音（着信メロディ、着信音声と言うこともある。）を出力させる。さらに、プロセッサ２４は電話着信をユーザに通知するために、携帯電話機１０を振動させたり、図示しないLEDを発光させたりする。
【００４１】
そして、使用者が、通話キー２６ａを用いて応答操作を行うと、無線通信回路１４は、プロセッサ２４の指示の下、電話着信処理を実行し、通信可能状態が確立され、プロセッサ２４は上述した通常の通話処理を実行する。
【００４２】
また、通話可能状態に移行した後に終話キー２６ｃによって通話終了操作が行われると、プロセッサ２４は、無線通信回路１４を制御して、通話相手に通話終了信号を送信する。通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００４３】
図２（Ａ）は、携帯電話機１０の表面の外観を示す外観図であり、図２（Ｂ）は携帯電話機１０の裏面の外観を示す外観図である。図２（Ａ）を参照して、携帯電話機１０は、ストレート型の形状をしており、平面矩形の筐体Ｃを有する。図示しないマイク１８は、筐体Ｃに内蔵され、内蔵されたマイク１８に通じる開口ＯＰ２は筐体Ｃの長さ方向一方の表面に設けられる。同じく、図示しないスピーカ２２は、筐体Ｃに内蔵され、内蔵されたスピーカ２２に通じる開口ＯＰ１は、筐体Ｃの長さ方向他方の表面に設けられる。ディスプレイ３０は、モニタ画面が筐体Ｃの表面側から見えるように取り付けられる。そして、ディスプレイ３０にはタッチパネル３８が設けられる。また、キー入力装置２６は、通話キー２６ａ、メニューキー２６ｂおよび終話キー２６ｃを含む。そして、これらのキーは筐体Ｃの表面に設けられる。
【００４４】
たとえば、使用者は、ディスプレイ３０に表示されたダイヤルキーに対して、タッチ操作を行うことで電話番号を入力し、通話キー２６ａによって電話発信操作を行う。そして、使用者は、通話が終了すると、終話キー２６ｃによって通話終了操作を行う。また、使用者は、ディスプレイ３０に表示されたソフトキーおよびメニューに対してタッチ操作を行うことで、メニューの選択や確定を行う。そして、使用者は、終話キー２６ｃを長押しすることで携帯電話機１０の電源をオン／オフする。
【００４５】
なお、図２（Ａ），（Ｂ）において、アンテナ１２、無線通信回路１４、Ａ／Ｄ１６、Ｄ／Ａ２０、プロセッサ２４、表示ドライバ２８、フラッシュメモリ３２、ＲＡＭ３４、タッチパネル制御回路３６は筐体Ｃに内蔵されているため、図２（Ａ），（Ｂ）では図示されない。
【００４６】
ここで、携帯電話機１０は、電話機能などの携帯電話機１０で利用可能な機能を制限するか、またはタッチパネル制御回路３６がタッチを受け付けないようにするロック機能を有している。たとえば、終話キー２６ｃが操作されると、ディスプレイ３０およびタッチパネル３８の電源がオフとなるとともにロック状態が設定され、電話機能などを実行するためのタッチ操作が無効になる。さらに、ロック状態が設定された状態で、ディスプレイ３０の電源がオンにされると、タッチパネル３８の電源も同時にオンにされるため、タッチ操作が検出されるようになる。そして、後述するタッチ操作が行われると、ロック状態が解除される。
【００４７】
まず、図３（Ａ）を参照して、ロック状態が設定されている状態で、メニューキー２６ｂが操作されると、ディスプレイ３０の電源がオンになり、ロック画面が表示される。また、ディスプレイ３０の表示領域は、状態表示領域６０および機能表示領域６２から構成
される。状態表示領域６０には、アンテナ１２による電波受信状態を示すアイコン（ピクトと言うこともある。）、二次電池の残電池容量を示すアイコンおよび現在日時が表示される。そして、状態表示領域６０に表示される現在時刻は、図示しないRTC(Real Time Clock)が出力する時刻情報に基づく。
【００４８】
次に、機能表示領域６２に表示されるロック画面は、長手のオブジェクトＴｏが表示される。このオブジェクトＴｏは、テープのように見える画像で示され、所定の第１関数および第２関数によって定義されている。そして、オブジェクトＴｏと背景との境界を示す、上境界線Ｌａおよび下境界線Ｌｂは第１関数および第２関数と対応する。そして、使用者は、タッチパネル３８に対してタッチし、軌跡がオブジェクトＴｏと交差するようにスライドを行うと、ロック状態を解除することができる。以下、上境界線Ｌａと下境界線Ｌｂとを特に区別しない場合には「境界線Ｌ」と言うことにし、第１関数と第２関数とを特に区別しない場合には「関数」と言うことにする。
【００４９】
図３（Ｂ）を参照して、使用者がスライドを行っているときに、現在のタッチ位置が上境界線Ｌａ上に存在するようになると、オブジェクトＴｏは切れ目が入った第１表示状態に変更される。つまり、使用者の指がオブジェクトＴｏに触れたような状態になると、オブジェクトＴｏはスライドによって切れ目が入ったように表示される。これにより、使用者は、ロック状態を解除するためのタッチ操作が有効であることを知ることができる。
【００５０】
次に、図３（Ｃ）を参照して、さらにスライドして、現在のタッチ位置が下境界線Ｌｂ上に存在するようになると、オブジェクトＴｏは、第１オブジェクトＴｏａと第２オブジェクトＴｏｂとに分かれた第２表示状態に変更される。つまり、使用者によるスライドがオブジェクトＴｏと交差し終えると、オブジェクトＴｏはスライドによって破られたように表示される。また、２つに分かれたオブジェクトＴｏの表示は、所定時間（たとえば、１秒）後に消去される。そして、オブジェクトＴｏの表示が消去されるともにロック状態は解除され、図３（Ｄ）に示すように、待機状態であることを示す待機画像がディスプレイ３０に表示される。したがって、使用者は、第２表示状態のオブジェクトＴｏを見ることで、ロック状態を解除する操作が正常に終了したことを知ることができる。
【００５１】
また、本実施例では、上境界線Ｌａおよび下境界線Ｌｂに対する指の接触は、各境界線に対応する関数に現在のタッチ位置を示す座標を代入して判断される。たとえば、現在のタッチ位置を示す座標によって第１関数が成立すれば、使用者の指が上境界線Ｌａと接触したと判断される。また、現在のタッチ位置を示す座標によって第２関数が成立すれば、使用者の指が下境界線Ｌｂと接触したと判断される。そして、本実施例では、スライドによって変化するタッチ位置の座標によって、第１関数と第２関数との両方が成立すれば、ロック状態が解除される。
【００５２】
このように、本実施例では、ロック状態を解除するために、２つの関数を利用することで、誤操作によってロック状態の解除が行われることを防止することができる。また、オブジェクトＴｏが所定の関数によって定義されるため、オブジェクトＴｏとスライドとの交差を、所定の関数に基づき容易に判断することができる。
【００５３】
なお、第１関数のみが成立した状態でリリースされた場合、オブジェクトＴｏは、図３（Ｂ）に示す第１表示状態から、図３（Ａ）に示す表示状態に戻る。
【００５４】
また、タッチ点がオブジェクトＴｏの表示範囲に含まれる場合、そのタッチを無効とする。つまり、スライドがオブジェクトＴｏの内部から始まる場合、指が各境界線に触れてもオブジェクトＴｏの表示状態は全く変更されず、ロック状態も解除されない。そして、このような操作がされた場合、操作が誤っていることを使用者に通知してもよい。
【００５５】
また、オブジェクトＴｏが表示される位置は、交差するスライドが行えるのであれば、図３（Ａ）に示す位置だけに限られない。
【００５６】
また、図３（Ｂ）で示される切れ目の位置は、タッチ位置に対応して表示される。つまり、タッチ位置が接触した位置に合わせて切れ目の中心が表示される。ただし、他の実施例では、タッチ位置が接触した位置に関係なく、切れ目が表示されてもよい。また、オブジェクトＴｏの切れ目は、タッチ位置に応じて変化してもよい。たとえば、スライドの距離が短ければ切れ目は小さく表示され、スライドの距離が長くなるにつれて、切れ目も大きく表示される。
【００５７】
また、他の実施例では、下境界線Ｌｂに第１関数が対応し、上境界線Ｌａに第２関数が対応してもよい。そして、上記実施例では、下方向スライドによってロック状態が解除されたが、上方向のスライドによってロック状態が解除されるようになる。この場合、下境界線Ｌｂ上に存在するようになると、図３（Ｂ）に示す切れ目は上下が反転して表示される。ただし、その他の実施例では、成立する関数の順番を定義することで、誤操作を防止してもよい。たとえば、その他の実施例では、下方向のスライドによってされ、軌跡がオブジェクトＴｏと交差したとしても、ロック状態が解除されないように出来る。
【００５８】
また、本実施例では、タッチパネル制御回路３６およびタッチパネル３８の電源をオフにすることで、タッチを無効にしている。したがって、携帯電話機１０の消費電力がより抑えられる。ただし、他の実施例では、タッチパネル制御回路３６およびタッチパネル３８の電源をオフにすることなく、プロセッサ２４が入力されたタッチ座標を無視する処理を実行することで、タッチが無効にされてもよい。
【００５９】
図４は、ＲＡＭ３４のメモリマップ３００を示す図である。ＲＡＭ３４のメモリマップ３００には、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶されてからプロセッサ２４によって処理される。
【００６０】
プログラム記憶領域３０２には、携帯電話機１０を動作させるためのプログラムが記憶されている。たとえば、携帯電話機１０を動作させるためのプログラムは、ロック状態設定プログラム３１０およびロック状態解除プログラム３１２などから構成されている。ロック状態設定プログラム３１０は、携帯電話機１０にロック状態を設定するためのプログラムである。ロック状態解除プログラム３１２は、携帯電話機１０に設定されたロック状態を解除するためのプログラムである。
【００６１】
なお、図示は省略するが、携帯電話機１０を動作させるためのプログラムには、電話着信状態を通知するためのプログラムおよび通話状態を確立するためのプログラムなどが含まれる。
【００６２】
データ記憶領域３０４には、タッチバッファ３３０および交差演算バッファ３３２などが設けられるとともに、タッチ座標マップデータ３３４、オブジェクトデータ３３６および境界関数データ３３８などが記憶される。また、データ記憶領域３０４には、ロックフラグ３４０および無操作カウンタ３４２なども設けられる。
【００６３】
タッチバッファ３３０には、タッチパネル制御回路３６から出力されるタッチ点を示す座標、リリース点を示す座標、現在のタッチ位置を示す座標およびスライドによる軌跡を表す複数の座標が一時的に記憶される。交差演算バッファ３３２には、スライドによって
示される現在のタッチ位置の座標を、第１関数および第２関数に代入する演算が実行されたときに利用されるバッファである。
【００６４】
タッチ座標マップデータ３３４は、タッチ操作におけるタッチ座標と、ディスプレイ３０の表示座標とを対応付けるためのデータである。つまり、プロセッサ２４は、タッチ座標マップデータ３３４に基づいて、タッチパネル３８に対して行われたタッチ操作の結果を、ディスプレイ３０の表示に対応づける。オブジェクトデータ３３６は、ディスプレイ３０に表示される、オブジェクトＴｏの画像データである。境界関数データ３３８は、上境界線Ｌａに対応する第１関数および下境界線Ｌｂに対応する第２関数を示すデータである。なお、境界関数データ３３８は、ディスプレイ３０に表示されるオブジェクトの形状および位置によって変化する。
【００６５】
ロックフラグ３４０は、ロック状態が設定されているか否かを判断するためのフラグである。たとえば、ロックフラグ３４０は、１ビットのレジスタで構成される。ロックフラグ３４０がオン（成立）にされると、レジスタにはデータ値「１」が設定される。一方、ロックフラグ３４０がオフ（不成立）にされると、レジスタにはデータ値「０」が設定される。
【００６６】
無操作カウンタ３４２は、一定時間（たとえば、６０秒）を計測するためのカウンタであり、初期化されるとカウントを開始する。また、無操作カウンタ３４２は無操作タイマとも呼ばれ、無操作タイマが実行されると、無操作カウンタ３４２は初期化されてカウントを開始する。そして、無操作タイマは、キー操作またはタッチ操作が行われる毎に初期化される。
【００６７】
なお、図示は省略するが、データ記憶領域３０４には、RTCが出力するデータを一時的
に記憶するバッファや、GUIを表示するための画像データなどが記憶されると共に、携帯
電話機１０の動作に必要なカウンタや、フラグも設けられる。
【００６８】
プロセッサ２４は、Android（登録商標）およびREXなどのLinux（登録商標）ベースのOSや、その他のOSの制御下で、図５に示すロック状態設定処理および図６に示すロック状
態解除処理などを含む、複数のタスクを並列的に処理する。
【００６９】
図５はロック状態設定処理のフロー図である。たとえば、携帯電話機１０の電源がオンにされると、プロセッサ２４はステップＳ１で、操作がされていないか否かを判断する。つまり、プロセッサ２４は、タッチ操作やキー操作が一定時間行われなかったため、無操作タイマが満了したか否かを判断する。ステップＳ１で“ＹＥＳ”であれば、たとえば６０秒間、タッチ操作およびキー操作がされなければ、プロセッサ２４はステップＳ５に進む。一方、ステップＳ１で“ＮＯ”であれば、つまり無操作タイマが満了していなければ、プロセッサ２４はステップＳ３で、ロック状態を設定する操作がされたか否かを判断する。たとえば、プロセッサ２４は、終話キー２６ｃが操作されたか否かを判断する。ステップＳ３で“ＮＯ”であれば、つまりロック状態を設定する操作がされなければ、プロセッサ２４はステップＳ１に戻る。
【００７０】
一方、ステップＳ３で“ＹＥＳ”であれば、つまりロック状態を設定する操作がされれば、プロセッサ２４はステップＳ５で、ディスプレイ３０の電源をオフにする。つまり、プロセッサ２４は、ディスプレイ３０の電源をオフにする命令を、電源回路に出す。続いて、プロセッサ２４は、ステップＳ７でロック状態を設定し、ロック状態設定処理を終了する。つまり、プロセッサ２４は、ステップＳ７で、ロックフラグ３４０をオフに設定する。
【００７１】
なお、他の実施例では、ロック状態が設定されてからディスプレイ３０の電源がオフにされてもよい。この場合、図５のロック状態設定処理では、ステップＳ５とステップＳ７との順番が入れ替わる。つまり、他の実施例では、ステップＳ７の処理が実行されてからステップＳ５の処理が実行される。
【００７２】
図６はロック状態解除処理のフロー図である。たとえば、ロック状態が設定されているときにメニューキー２６ｂが操作されると、プロセッサ２４はステップＳ２１で、ロック画面を表示する。つまり、プロセッサ２４は、ディスプレイ３０の電源をオンにする命令を出した後に、図３（Ａ）に示すロック画面をディスプレイ３０に表示する。なお、ステップＳ２１の処理を実行するプロセッサ２４は表示部として機能する。
【００７３】
続いて、プロセッサ２４は、ステップＳ２３でタッチされたか否かを判断する。つまり、タッチパネル制御回路３６によってタッチが検出されたか否かを判断する。ステップＳ２３で“ＮＯ”であれば、つまりタッチパネル制御回路３６によってタッチが検出されていなければ、プロセッサ２４はステップＳ２３の処理を繰り返し実行する。
【００７４】
また、ステップＳ２３で“ＹＥＳ”であれば、つまりタッチパネル制御回路３６によってタッチが検出されていれば、プロセッサ２４はステップＳ２５で、スライドされたか否かを判断する。たとえば、プロセッサ２４は、タッチバッファ３３０から前回検出されたタッチ位置の座標と今回検出されたタッチ位置の座標とを読み出し、その２つの座標が異なるか否かを判断する。ステップＳ２５で“ＮＯ”であれば、つまりスライドされなければ、プロセッサ２４はステップＳ２９に進む。一方、ステップＳ２５で“ＹＥＳ”であれば、つまりスライドされると、プロセッサ２４はステップＳ２７で、スライドオブジェクトＴｏと交差し始めたか否かを判断する。たとえば、プロセッサ２４は、タッチバッファ３３０から現在のタッチ位置を示す座標を読み出し、境界関数データ３３８から第１関数および第２関数を読み出し、読み出した座標によって第１関数または第２関数が成立するか否かを判断する。そして、ステップＳ２７の処理が実行される毎に、交差演算バッファ３３２に演算結果が格納される。
【００７５】
ステップＳ２７で“ＮＯ”であれば、たとえば現在のタッチ位置がオブジェクトＴｏと離れた位置であり、タッチ位置を示す座標によって第１関数が成立しなければ、プロセッサ２４はステップＳ２９で、リリースされたか否かを判断する。つまり、タッチパネル３８から指が離されたか否かを判断する。また、ステップＳ２９で“ＮＯ”であれば、つまりタッチパネル３８にタッチされたままであれば、プロセッサ２４はステップＳ２５に戻る。一方、ステップＳ２９で“ＹＥＳ”であれば、つまりタッチパネル３８から指が離されれば、プロセッサ２４はステップＳ２３に戻る。
【００７６】
また、ステップＳ２７で“ＹＥＳ”であれば、つまり現在のタッチ位置がオブジェクトＴｏの上境界線Ｌａまたは下境界線Ｌｂ上に存在していれば、プロセッサ２４はステップＳ３１で上から交差し始めたか否かを判断する。つまり、プロセッサ２４は、現在のタッチ位置を示す座標によって、上境界線Ｌａと対応する第１関数が成立したか否かを判断する。ステップＳ３１で“ＹＥＳ”であれば、たとえば、図３（Ｂ）に示すように、スライドがオブジェクトＴｏの上から交差し始めていれば、プロセッサ２４はステップＳ３３で、オブジェクトＴｏの表示を上から破れている状態（第１表示状態）に変更し、ステップＳ３７に進む。たとえば、プロセッサ２４は、図３（Ｂ）に示すように、上からの切れ目が入ったオブジェクトＴｏを、ディスプレイ３０に表示する。
【００７７】
一方、ステップＳ３１で“ＮＯ”であれば、つまり現在のタッチ位置を示す座標によって下境界線Ｌｂと対応する第２関数が成立していれば、プロセッサ２４はステップＳ３５で、オブジェクトＴｏの表示を、下から破れている状態（第１表示状態）に変更し、ステ
ップＳ３７に進む。つまり、プロセッサ２４は、下から切れ目が入ったオブジェクトＴｏを、ディスプレイ３０に表示する。なお、ステップＳ３３またはステップＳ３５の処理を実行するプロセッサ２４は第１変更部として機能する。
【００７８】
続いて、プロセッサ２４は、ステップＳ３７で、スライドがオブジェクトＴｏと交差し終えたか否かを判断する。たとえば、上境界線Ｌａに対応する第１関数が既に成立していれば、プロセッサ２４は現在のタッチ位置を示す座標によって下境界線Ｌｂと対応する第２関数が成立するか否かを判断する。なお、ステップＳ２７，Ｓ３７の処理を実行するプロセッサ２４は判断部として機能する。また、特に、ステップＳ２７の処理を実行するプロセッサ２４は第１判断部として機能し、ステップＳ３７の処理を実行するプロセッサ２４は第２判断部として機能する。
【００７９】
ステップＳ３７で“ＮＯ”であれば、たとえばタッチ位置を示す座標によって下境界線Ｌｂと対応する第２関数が成立しなければ、プロセッサ２４はステップＳ３９で、リリースされたか否かを判断する。つまり、プロセッサ２４は、ステップＳ２９と同様、タッチパネル３８から指が離されたか否かを判断する。ステップＳ３９で“ＮＯ”であれば、つまり現在のタッチ位置がオブジェクトＴｏの表示座標内に含まれていれば、プロセッサ２４はステップＳ３７に戻る。一方、ステップ３９で“ＹＥＳ”であれば、つまりスライドの軌跡がオブジェクトＴｏと交差し終える前にスライドが中断されると、プロセッサ２４はステップＳ２１に戻る。たとえば、オブジェクトＴｏが図３（Ｂ）に示す第１表示状態であれば、オブジェクトＴｏは図３（Ａ）に示す状態に戻される。
【００８０】
また、ステップＳ３７で“ＹＥＳ”であれば、たとえば現在のタッチ位置によって下境界線Ｌｂと対応する第２関数が成立すれば、プロセッサ２４はステップＳ４１で、オブジェクトＴｏの表示を、完全に破れた状態（第２表示状態）に変更する。つまり、プロセッサ２４は、図３（Ｃ）のように、２つに分かれたオブジェクトＴｏａおよびオブジェクトＴｏｂを、ディスプレイ３０に表示する。なお、ステップＳ４１の処理を実行するプロセッサ２４は第２変更部として機能する。
【００８１】
続いて、プロセッサ２４は、ステップＳ４３で、ロック状態を解除し、ロック状態解除処理を終了する。つまり、プロセッサ２４は、ロックフラグ３４０をオフにする。なお、ステップＳ４３の処理を実行するプロセッサ２４は解除部として機能する。
【００８２】
以上の説明から分かるように、携帯電話機１０は、タッチ操作を検出するタッチパネル３６を有している。また、携帯電話機１０には、タッチ操作によって携帯電話機に備えられた所定の機能が実行されないように制限するロック状態を設定することができる。そして、ロック状態が設定されている場合、ロック状態の解除に関するタッチ操作は検出される。たとえば、ロック状態が設定されている状態で、キー入力操作がされると、ディスプレイ３０には、テープのように見える長手のオブジェクトＴｏが表示される。また、オブジェクトＴｏと交差するスライドが使用者によって行われると、プロセッサ２４は、ロック状態を解除する。
【００８３】
このように、ロック状態を解除するためのタッチ操作がオブジェクトＴｏの表示によって促されるため、ロック状態の解除方法を、使用者が利用する言語に関係なく伝えることができる。
【００８４】
なお、本実施例では、オブジェクトＴｏの境界線Ｌは直線で表されていたが、他の実施例では、曲線であってもよいし頂点を含んでいてもよい。つまり、各境界線Ｌに対応する関数は一次関数だけに限らず、多種多様な関数が対応してもよい。たとえば、図７に示すように、境界線Ｌが曲線の場合、各境界線Ｌには三次関数またはサイン、コサインなどの
三角関数が対応する。また、図８に示すように、境界線Ｌが頂点を複数もつ三角波の場合、各境界線Ｌには三角形関数が対応する。
【００８５】
また、オブジェクトＴｏを構成する２つの境界線Ｌは必ずしも平行である必要はない。たとえば、図９に示す上境界線Ｌａと下境界線Ｌｂとのように、交点を持つ２つの関数が２つの境界線Ｌに対応してもよい。
【００８６】
また、他の実施例では、オブジェクトＴｏは、帯状ではなく、三角形や円などの図形で示されてもよい。
【００８７】
また、他の実施例では、複数のオブジェクトＴｏが表示されてもよい。そして、複数のオブジェクトＴｏが表示される場合には、全てのオブジェクトＴｏと交差するようにスライドされると、ロック状態が解除される。たとえば、図１０（Ａ）−（Ｅ）を参照して、ディスプレイ３０には、オブジェクトＴｏ１およびオブジェクトＴｏ２が表示される。また、各オブジェクトＴｏの上境界線Ｌａおよび下境界線Ｌｂは、第１関数および第２関数で定義される。
【００８８】
次に、図１０（Ｂ）に示すように、スライドの位置が上境界線Ｌａ１に接触するとオブジェクトＴｏ１に切れ目が入る。また、スライドがさらに続けられ、現在の位置が下境界線Ｌｂ１に接触すると、オブジェクトＴｏは、図１０（Ｃ）のように、オブジェクトＴｏ１ａとオブジェクトＴｏ１ｂとに分かれる。
【００８９】
ここで、使用者が指をリリースせずにさらにスライドを続けると、図１０（Ｄ）に示すように、オブジェクトＴｏ２に切れ目が入り、図１０（Ｅ）に示すようにオブジェクトＴｏ２がオブジェクトＴｏ２ａとオブジェクトＴｏ２ｂとに分かれる。そして、２つのオブジェクトＴｏが破れた表示になると、ロック状態が解除される。
【００９０】
このように、２本のオブジェクトＴｏが同時に表示される場合、全てのオブジェクトＴｏと交差するスライド操作が行われなければ、ロック状態は解除されない。
【００９１】
ただし、図１０（Ｃ）の状態では、２つに分かれたオブジェクトＴｏの表示は、使用者の操作が正しく行われていることを通知するために消去されてもよい。また、図１０（Ｃ）の表示がされたまま、スライドが全く移動しなかったり、リリースされたりした場合は、誤操作の可能性が高いため、２つのオブジェクトＴｏの表示は、図１０（Ａ）の状態に戻される。
【００９２】
また、他の実施例では、ロック状態が設定されていることを明確にするために、ロック画面では、図３（Ｄ）に示す待機画面に対して、オブジェクトＴｏを重ねて表示してもよい。この場合、初めて本携帯電話機１０を利用する使用者であっても、使用者が利用する言語に関わらず、オブジェクトＴｏに対するスライドを行いやすくなる。
【００９３】
また、他の実施例では、使用者がタッチした位置に合わせてハサミやナイフなどの刃物を示すアイコンを表示し、オブジェクトＴｏに対するスライドを促すようにしてもよい。
【００９４】
また、携帯電話機１０の通信方式はCDMA方式であるが、LTE(Long Term Evolution)方式、W-CDMA方式、GSM方式、TDMA方式、FDMA方式およびPHS方式などが採用されてもよい。さらに、ディスプレイ３０にはLCDモニタが利用されるが、有機ELパネルなどの他の表示装
置が利用されてもよい。
【００９５】
また、ロック状態設定プログラム３１０およびロック状態制御プログラム３１２は、デ
ータ配信用のサーバのHDDに記憶され、ネットワークを介して携帯電話機１０に配信され
てもよい。また、CD,DVD,BD(Blu-ray Disc)などの光学ディスク、USBメモリおよびメモリカードなどの記憶媒体にこれらのプログラムを記憶させた状態で、その記憶媒体が販売または配布されてもよい。そして、上記したサーバや記憶媒体などを通じてダウンロードされた、ロック状態設定プログラム３１０およびロック状態制御プログラム３１２が、本実施例と同等の構成の携帯電話機にインストールされた場合、本実施例と同等の効果が得られてもよい。
【００９６】
さらに、本実施例は、携帯電話機１０のみに限らず、スマートフォンおよびPDA(Personal Digital Assistant)などに適用されてもよい。
【００９７】
そして、本明細書中で挙げた、一定時間および所定時間などの具体的な数値は、いずれも単なる一例であり、製品の仕様などの必要に応じて適宜変更可能である。
【符号の説明】
【００９８】
１０    …  携帯電話機
１２    …  アンテナ
１４    …  無線通信回路
２４    …  プロセッサ
２６    …  キー入力装置
３４    …  ＲＡＭ
３６    …  タッチパネル制御回路
３８    …  タッチパネル
【図１】
2015133124.tif 000003
【図２】
2015133124.tif 000004
【図３】
2015133124.tif 000005
【図４】
2015133124.tif 000006
【図５】
2015133124.tif 000007
【図６】
2015133124.tif 000008
【図７】
2015133124.tif 000009
【図８】
2015133124.tif 000010
【図９】
2015133124.tif 000011
【図１０】
2015133124.tif 000012
【手続補正書】
【提出日】平成27年3月6日(2015.3.6)
【手続補正２】
【補正対象書類名】明細書
【補正対象項目名】０００７
【補正方法】変更
【補正の内容】
【０００７】
第１の発明は、タッチパネルおよびタッチパネルへの接触部材の接触を検出する接触検出部を有し、所定の機能の実行が制限されるロック状態が設定できる、携帯端末であって、ロック状態が設定されているときにオブジェクトを表示する表示部、および接触部材を接触させて移動したときに、オブジェクトに関連付けられた境界線を当該接触部材が超えた場合、ロック状態を解除するための操作が有効であることを示すようにオブジェクトの表示態様を変更する変更部を備える、携帯端末である。
【手続補正３】
【補正対象書類名】明細書
【補正対象項目名】０００８
【補正方法】変更
【補正の内容】
【０００８】
第１の発明では、携帯端末（１０：実施例において対応する部分を例示する参照符号。以下、同じ。）は、タッチパネル（３８）に対して行われる指などの接触部材による接触（タッチ操作）を検出する接触検出部（３６）を有する。また、携帯端末には、所定の機能の実行が制限されるロック状態を設定できる。
【手続補正４】
【補正対象書類名】明細書
【補正対象項目名】０００９
【補正方法】変更
【補正の内容】
【０００９】
表示部（２４，Ｓ２１）は、携帯端末に上記ロック状態が設定されているときに、たとえば入力操作がされると、帯のように見えるオブジェクトを表示する。変更部は、接触部材を接触させて移動したときに、オブジェクトに関連付けられた境界線を当該接触部材が超えた場合、ロック状態を解除するための操作が有効であることを示すようにオブジェクトの表示態様を変更する。
【手続補正５】
【補正対象書類名】明細書
【補正対象項目名】００１１
【補正方法】変更
【補正の内容】
【００１１】
第２の発明は、第１の発明に従属し、変更部は、接触部材が境界線を越えた位置に対応させて、オブジェクトの表示態様を変更する。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
第３の発明は、タッチパネル（３８）およびタッチパネルへの接触部材の接触を検出する接触検出部（３６）を有し、所定の機能の実行が制限されるロック状態が設定できる、携帯端末（１０）における画面制御方法であって、携帯端末のプロセッサが、ロック状態が設定されているときにオブジェクトを表示する表示ステップ（Ｓ２１）、および接触部材を接触させて移動したときに、オブジェクトに関連付けられた境界線を当該接触部材が超えた場合、ロック状態を解除するための操作が有効であることを示すようにオブジェクトの表示態様を変更する変更ステップを実行する、ロック状態解除方法である。
【手続補正２０】
【補正対象書類名】明細書
【補正対象項目名】００２６
【補正方法】変更
【補正の内容】
【００２６】
第３の発明でも、第１の発明と同様の効果を得ることが出来る。
【手続補正２１】
【補正対象書類名】明細書
【補正対象項目名】００９７
【補正方法】変更
【補正の内容】
【００９７】
そして、本明細書中で挙げた、一定時間および所定時間などの具体的な数値は、いずれも単なる一例であり、製品の仕様などの必要に応じて適宜変更可能である。
ここで、以下の説明における括弧内の参照符号および補足説明等は、この発明の理解を助けるために記述した実施形態との対応関係を示したものであって、この発明を何ら限定するものではない。
本実施例は、タッチパネルおよびタッチパネルへの接触部材の接触を検出する接触検出部を有し、接触検出部が検出した接触に基づく所定の処理を実行しないロック状態が設定できる、携帯端末であって、ロック状態が設定されているときにオブジェクトを表示する表示部、タッチパネルに対してオブジェクトと交差するよう接触部材を接触させて移動する操作が行われたか否かを判断する判断部、および判断部がタッチパネルに対してタッチパネルに対してオブジェクトと交差するよう接触部材を接触させて移動する操作が行われたと判断されたとき、ロック状態を解除する解除部を備える、携帯端末である。
本実施例では、携帯端末（１０：実施例において対応する部分を例示する参照符号。以下、同じ。）は、タッチパネル（３８）に対して行われる指などの接触部材による接触（タッチ操作）を検出する接触検出部（３６）を有する。また、携帯端末には、タッチパネルに対する接触に基づく所定の処理（電話機能）が実行しないロック状態を設定できる。
表示部（２４，Ｓ２１）は、携帯端末に上記ロック状態が設定されているときに、たとえば入力操作がされると、帯のように見えるオブジェクトを表示する。判断部（２４，Ｓ２７，Ｓ３７）は、たとえば、帯のように見えるオブジェクトを、接触部材を移動させて交差するように移動させる操作（スライド操作）が行われたかを判断する。解除部（２４，Ｓ４３）は、上記のような操作が行われたと判断されたとき、ロック状態を解除する。
本実施例によれば、ロック状態を解除するための操作がオブジェクトの表示によって促されるため、ロック状態の解除方法を、使用者が利用する言語に関係なく伝えることができる。
他の実施例は、オブジェクトは、所定の関数によって定義され、判断部は、タッチパネルに対してタッチパネルに対してオブジェクトと交差するよう接触部材を接触させて移動する操作によって示される座標によって、関数が成立するかを判断する。
他の実施例では、オブジェクトは、たとえば一次関数によって定義される。また、判断部は、接触部材を移動させる操作における現在の座標によって、上記一次関数が成立するかを判断する。
他の実施例によれば、オブジェクトが所定の関数によって定義されるため、オブジェクトと接触部材を移動させる操作との交差を、所定の関数に基づき容易に判断することができる。
その他の実施例は、オブジェクトは、第１関数および第２関数によって定義され、判断部は、タッチパネルに対してタッチパネルに対してオブジェクトと交差するよう接触部材を接触させて移動する操作によって示される座標によって、第１関数が成立するかを判断する第１判断部およびタッチパネルに対してタッチパネルに対してオブジェクトと交差するよう接触部材を接触させて移動する操作によって示される座標によって、第２関数が成立するかを判断する第２判断部を含み、解除部は、第１判断部がタッチパネルに対してタッチパネルに対してオブジェクトと交差するよう接触部材を接触させて移動する操作によって示される座標によって第１関数が成立すると判断した後に、第２判断部がタッチパネルに対してタッチパネルに対してオブジェクトと交差するよう接触部材を接触させて移動する操作によって示される座標によって第２関数が成立すると判断したとき、ロック状態を解除する。
その他の実施例では、第１関数は、長手のオブジェクトの上側の線（上境界線Ｌａ）に対応している。また、第２関数は、長手のオブジェクトの下側の線（下境界線Ｌｂ）に対応している。第１判断部（２４，Ｓ２７）は、接触部材を移動する操作によって示される座標によって、上述した第１関数が成立するかを判断する。第２判断部（２４，Ｓ３７）は、現在の接触位置（タッチ位置）の座標によって、上述した第２関数が成立するかを判断する。そして、解除部は、接触部材を移動する操作の軌跡が所定の長さを持つオブジェクトを通過すると、第１関数が成立した後に、第２関数が成立するため、ロック状態を解除する。
その他の実施例によれば、ロック状態を解除するために、２つの関数を利用することで、誤操作によってロック状態が解除されないようにできる。
さらにその他の実施例は、第１判断部によってタッチパネルに対してタッチパネルに対してオブジェクトと交差するよう接触部材を接触させて移動する操作によって示される座標によって第１関数が成立すると判断されたとき、オブジェクトを第１表示状態に変更する第１変更部をさらに備える。
さらにその他の実施例では、第１変更部（２４，Ｓ３３，Ｓ３５）は、下方向に接触部材を移動させる操作がされ、現在の接触位置の座標によって第１関数が成立すると判断されたとき、オブジェクトを、途中に切れ目が入ったかのような第１表示状態に変更する。
さらにその他の実施例によれば、使用者は、ロック状態を解除するための操作が有効であることを知ることができる。
他の実施例は、第２判断部によってタッチパネルに対してタッチパネルに対してオブジェクトと交差するよう接触部材を接触させて移動する操作によって示される座標によって第２関数が成立すると判断されたとき、オブジェクトを第２表示状態に変更する第２変更部をさらに備える。
他の実施例では、第２変更部（２４，Ｓ４１）は、下方向に接触部材を移動させる操作がされ、その操作の軌跡がオブジェクトと交差し終えたとき、オブジェクトを、２つに分かれた第２表示状態に変更する。
他の実施例によれば、使用者は、第２表示状態のオブジェクトを見ることで、ロック状態を解除する操作が正常に終了したことを知ることができる。
その他の実施例は、タッチパネル（３８）およびタッチパネルへの接触部材の接触を検出する接触検出部（３６）を有し、接触検出部が検出した接触に基づく所定の処理を実行しないロック状態が設定できる、携帯端末（１０）のプロセッサ（２４）を、ロック状態が設定されているときにオブジェクトを表示する表示部（Ｓ２１）、タッチパネルに対してオブジェクトと交差するよう接触部材を接触させて移動する操作が行われたか否かを判断する判断部（Ｓ２７，Ｓ３７）、および判断部がタッチパネルに対してタッチパネルに対してオブジェクトと交差するよう接触部材を接触させて移動する操作が行われたと判断されたとき、ロック状態を解除する解除部（Ｓ４３）として機能させる、ロック状態解除プログラムである。
その他の実施例でも、ロック状態を解除するための操作がオブジェクトの表示によって促されるため、ロック状態の解除方法を、使用者が利用する言語に関係なく伝えることができる。
さらにその他の実施例は、タッチパネル（３８）およびタッチパネルへの接触部材の接触を検出する接触検出部（３６）を有し、接触検出部が検出した接触に基づく所定の処理を実行しないロック状態が設定できる、携帯端末（１０）のロック状態解除方法であって、ロック状態が設定されているときにオブジェクトを表示し（Ｓ２１）、タッチパネルに対してオブジェクトと交差するよう接触部材を接触させて移動する操作が行われたか否かを判断し（Ｓ２７，Ｓ３７）、そしてタッチパネルに対してタッチパネルに対してオブジェクトと交差するよう接触部材を接触させて移動する操作が行われたと判断されたとき、ロック状態を解除する（Ｓ４３）、ロック状態解除方法である。
さらにその他の実施例でも、ロック状態を解除するための操作がオブジェクトの表示によって促されるため、ロック状態の解除方法を、使用者が利用する言語に関係なく伝えることができる。
【手続補正２２】
【補正対象書類名】特許請求の範囲
【補正対象項目名】全文
【補正方法】変更
【補正の内容】
【特許請求の範囲】
【請求項１】
タッチパネルおよび前記タッチパネルへの接触部材の接触を検出する接触検出部を有し、所定の機能の実行が制限されるロック状態が設定できる、携帯端末であって、
前記ロック状態が設定されているときにオブジェクトを表示する表示部、および
前記接触部材を接触させて移動したときに、前記オブジェクトに関連付けられた境界線を当該接触部材が超えた場合、前記ロック状態を解除するための操作が有効であることを示すように前記オブジェクトの表示態様を変更する変更部を備える、携帯端末。
【請求項２】
前記変更部は、前記接触部材が前記境界線を越えた位置に対応させて、前記オブジェクトの表示態様を変更する、請求項１記載の携帯端末。
【請求項３】
タッチパネルおよび前記タッチパネルへの接触部材の接触を検出する接触検出部を有し、所定の機能の実行が制限されるロック状態が設定できる、携帯端末における画面制御方法であって、前記携帯端末のプロセッサが、
前記ロック状態が設定されているときにオブジェクトを表示する表示ステップ、および
前記接触部材を接触させて移動したときに、前記オブジェクトに関連付けられた境界線を当該接触部材が超えた場合、前記ロック状態を解除するための操作が有効であることを示すように前記オブジェクトの表示態様を変更する変更ステップを実行する、ロック状態解除方法。